(57)【要約】【課題】端子の接触安定性を確保できるコネクタを提供する。【解決手段】レセプタクルコネクタ１０は、スライダー３０と第１固定金具４０とを有している。スライダー３０はプラグコネクタ６０をスライダー３０がロックするロック位置と、プラグコネクタ６０から長手方向での外側にスライダー３０が離れておりプラグコネクタ６０のロックが解除されるロック解除位置との間でスライド可能である。第１固定金具４０はフック４３を有し、スライダー３０は、フック４３が係合するための第１被係合部３３を有している。【選択図】図３Ａ
2018181820.tif 000002
【特許請求の範囲】
【請求項１】
長手方向において延在し且つ短手方向で対向している２つの第１壁部と、前記２つの第１壁部の端部に位置し且つ前記長手方向において対向している２つ第２壁部と、前記第１壁部と前記第２壁部との内側に形成されている凹部とを有している第１ハウジングと、第１壁部に保持されている第１端子と、を有している第１コネクタと、
前記第１端子に接続するための第２端子と、前記第２端子を保持している第２ハウジングとを有し、前記第１ハウジングの前記凹部の内側に嵌合する第２コネクタと、を有し
前記第１コネクタは、前記２つの第２壁部のうち少なくとも一方の第２壁部で支持され且つ前記長手方向においてスライド可能なスライダーと、前記少なくとも一方の第２壁部に取り付けられている第１金具と、を有し、
前記スライダーは、前記凹部の内側に嵌合している前記第２コネクタを前記スライダーがロックするロック位置と、前記第２コネクタから前記長手方向の外側に前記スライダーが離れており前記第２コネクタのロックが解除されるロック解除位置との間でスライド可能であり、
前記第１金具は係合部を有し、
前記スライダーは、前記係合部が係合するための第１被係合部を有し、
前記係合部と前記第１被係合部のうち少なくとも一方は弾性変形可能であり、
前記スライダーは、前記係合部と前記第１被係合部との係合により前記ロック位置から前記ロック解除位置への移動が制限され、前記少なくとも一方の弾性変形により前記ロック位置と前記ロック解除位置との間でのスライドが許容される
ことを特徴とするコネクタ組立体。
【請求項２】
前記係合部は、前記スライダーに対して前記短手方向の外側に位置し
前記第１被係合部は、前記スライダーの縁に形成されている
ことを特徴とする請求項１に記載のコネクタ組立体。
【請求項３】
前記係合部として、前記短手方向において互いに反対側に位置する２つの係合部を有し、
前記スライダーは前記２つの係合部の間に配置されている
ことを特徴とする請求項２に記載のコネクタ組立体。
【請求項４】
前記係合部は、前記長手方向での内側に向かって延びており且つ前記係合部の弾性変形により前記長手方向に対して直交する方向に動くことのできる延伸部を有し、
前記延伸部の端部は、前記スライダーがロック位置にあるときに、前記第１被係合部に当たり、前記スライダーの前記ロック解除位置への移動を規制する
ことを特徴とする請求項１に記載のコネクタ組立体。
【請求項５】
前記係合部が弾性変形可能であり、
前記係合部は、基部と、前記基部から延びていて弾性変形可能な延伸部とを有し、
前記第１金具は、回路基板に取り付けられる固定部を下縁に有する壁部を有し、
前記係合部の前記基部は前記壁部に接続している
ことを特徴とする請求項１に記載のコネクタ組立体。
【請求項６】
前記スライダーは、前記係合部が係合するための第２被係合部をさらに有し、
前記第２被係合部は、前記係合部と前記第２被係合部との係合によって、前記ロック解除位置からさらに前記長手方向の外側に向かう前記スライダーのスライドを規制する
ことを特徴とする請求項１に記載のコネクタ組立体。
【請求項７】
前記スライダーは前記第２壁部の上側に配置され、
前記第１金具は、前記短手方向において前記スライダーを挟んで互いに反対側に位置する２つの係合機構部を有し、
前記第１金具は、前記スライダーの上側に位置し、前記２つの係合機構部の間に位置しそれらを接続する天板部を有している
ことを特徴とする請求項１に記載のコネクタ組立体。
【請求項８】
前記第１金具は、前記第１ハウジングの前記凹部の内側に前記第２コネクタを案内するガイド部、前記第２コネクタの端子に接続する端子部、及び前記第１ハウジングの前記凹部の内面に固定される被保持部のうち少なくとも１つを有する部材である
ことを特徴とする請求項１に記載のコネクタ組立体。
【請求項９】
長手方向において延在し且つ短手方向で対向している２つの第１壁部と、前記２つの第１壁部の端部に位置し且つ前記長手方向において対向している２つ第２壁部と、前記第１壁部と前記第２壁部の内側に形成されている凹部とを有しているハウジングと、
前記ハウジングによって保持されている端子と、
前記２つの第２壁部のうち少なくとも一方の第２壁部で支持され且つ前記長手方向においてスライド可能なスライダーと、
前記少なくとも一方の第２壁部に取り付けられている金具と、を有し、
前記スライダーは、前記凹部の内側に嵌合している相手コネクタを前記スライダーがロックするロック位置と、前記相手コネクタから前記長手方向の外側に前記スライダーが離れており前記相手コネクタのロックが解除されるロック解除位置との間でスライド可能であり、
前記金具は係合部を有し、
前記スライダーは、前記係合部が係合するための第１被係合部を有し、
前記係合部と前記第１被係合部のうち少なくとも一方は弾性変形可能であり、
前記スライダーは、前記係合部と前記第１被係合部との係合により前記ロック位置から前記ロック解除位置への移動が制限され、前記少なくとも一方の弾性変形により前記ロック位置と前記ロック解除位置との間でのスライドが許容される
ことを特徴とするコネクタ。
【発明の詳細な説明】
【技術分野】
【０００１】
本発明は、コネクタ及びコネクタ組立体に関する。
【背景技術】
【０００２】
従来、互いに向き合う２枚の回路基板を接続するコネクタが利用されている（例えば、下記特許文献１乃至４）。一方の回路基板に取り付けられているコネクタと、他方の回路基板に取り付けられているコネクタとが互いに嵌合し、それによって２枚の回路基板が接続する。電子機器の小型化・薄型化に伴い、この種のコネクタは低背化が進められている。
【先行技術文献】
【特許文献】
【０００３】
【特許文献１】特開２０１５−６０７６４号公報
【発明の概要】
【発明が解決しようとする課題】
【０００４】
コネクタの低背化に伴い、２つのコネクタの端子の接触領域が小さくなっている。そのため、２つのコネクタの端子の接触安定性がより重要な課題となってきている。
【０００５】
本開示の目的の一つは、コネクタの低背化に伴いコネクタの端子の接触領域が小さくなった場合でも、端子の接触安定性を維持できるコネクタ及びコネクタ組立体を提供することにある。
【課題を解決するための手段】
【０００６】
本開示で提案するコネクタ組立体の一例は、長手方向において延在し且つ短手方向で対向している２つの第１壁部と、前記２つの第１壁部の端部に位置し且つ前記長手方向において対向している２つ第２壁部と、前記第１壁部と前記第２壁部との内側に形成されている凹部とを有している第１ハウジングと、前記長手方向において並んでおり前記第１ハウジングによって保持されている複数の第１端子と、を有している第１コネクタと、前記複数の第１端子にそれぞれ接続するための複数の第２端子と、前記複数の第２端子を保持している第２ハウジングとを有し、前記第１ハウジングの前記凹部の内側に嵌合する第２コネクタとを有している。前記第１コネクタは、前記２つの第２壁部のうち少なくとも一方の第２壁部で支持され且つ前記長手方向においてスライド可能なスライダーと、前記少なくとも一方の第２壁部に取り付けられている第１金具とを有している。前記スライダーは、前記凹部の内側に嵌合している前記第２コネクタを前記スライダーがロックするロック位置と、前記第２コネクタから前記長手方向の外側に前記スライダーが離れており前記第２コネクタのロックが解除されるロック解除位置との間でスライド可能である。前記第１金具は係合部を有し、前記スライダーは、前記係合部が係合するための第１被係合部を有している。前記係合部と前記第１被係合部のうち少なくとも一方は弾性変形可能であり、前記スライダーは、前記係合部と前記第１被係合部との係合により前記ロック位置から前記ロック解除位置への移動が制限され、前記少なくとも一方の弾性変形により前記ロック位置と前記ロック解除位置との間でのスライドが許容される。
【０００７】
本開示で提案するコネクタの一例は、長手方向において延在し且つ短手方向で対向している２つの第１壁部と、前記２つの第１壁部の端部に位置し且つ前記長手方向において対向している２つ第２壁部と、前記第１壁部と前記第２壁部の内側に形成されている凹部とを有しているハウジングと、前記長手方向において並んでおり前記ハウジングによって保持されている複数の端子と、前記２つの第２壁部のうち少なくとも一方の第２壁部で支持され且つ前記長手方向においてスライド可能なスライダーと、前記少なくとも一方の第２壁部に取り付けられている金具と、を有している。前記スライダーは、前記凹部の内側に嵌合している相手コネクタを前記スライダーがロックするロック位置と、前記相手コネクタから前記長手方向の外側に前記スライダーが離れており前記相手コネクタのロックが解除されるロック解除位置との間でスライド可能である。前記金具は係合部を有し、前記スライダーは、前記係合部が係合するための第１被係合部を有している。前記係合部と前記第１被係合部のうち少なくとも一方は弾性変形可能であり、前記スライダーは、前記係合部と前記第１被係合部との係合により前記ロック位置から前記ロック解除位置への移動が制限され、前記少なくとも一方の弾性変形により前記ロック位置と前記ロック解除位置との間でのスライドが許容される。
【図面の簡単な説明】
【０００８】
【図１Ａ】第１コネクタ（レセプタクルコネクタ）の上面を示す斜視図である。
【図１Ｂ】第１コネクタの下面を示す斜視図である。
【図１Ｃ】第１コネクタの上面を示す平面図である。
【図１Ｄ】第１コネクタの側面を示す側面図である。
【図１Ｅ】第１コネクタの下面を示す底面図である。
【図２Ａ】第２コネクタ（プラグコネクタ）の上面を示す斜視図である。
【図２Ｂ】第２コネクタの下面を示す斜視図である。
【図３Ａ】第１コネクタを分解した状態を示す斜視図である。
【図３Ｂ】第２コネクタの分解した状態を示す斜視図である。
【図４】第１コネクタと第２コネクタが互いに離れた状態のコネクタ組立体を示す斜視図である。
【図５Ａ】コネクタ組立体のロック解除の状態を示す斜視図である。
【図５Ｂ】コネクタ組立体のロックの状態を示す斜視図である。
【図６Ａ】コネクタ組立体のロック解除の状態を示す側面図である。
【図６Ｂ】図６ＡのＶＩｂ−ＶＩｂ線で得られるコネクタのロック解除の状態を示す断面図である。
【図６Ｃ】図６ＡのＶＩｂ−ＶＩｂ線で得られるコネクタのロックの状態を示す断面図である。
【図７Ａ】コネクタ組立体のロック解除の状態を示す平面図である。
【図７Ｂ】図７ＡのＶＩＩｂ−ＶＩＩｂ線で得られるコネクタのロック解除の状態を示す断面図である。
【図７Ｃ】図７ＡのＶＩＩｂ−ＶＩＩｂ線で得られるコネクタのロックの状態を示す断面図である。
【発明を実施するための形態】
【０００９】
以下、本開示で提案するコネクタ及びコネクタ組立体について説明する。本開示のコネクタ組立体は、複数の電線又は回路基板の接続されるコネクタと、回路基板に接続されるコネクタとを備える。回路基板は、例えば、電子機器等に使用されるプリント配線基板（ＰｒｉｎｔｅｄＣｉｒｃｕｉｔＢｏａｒｄ）、フレキシブルフラットケーブル（ＦｌｅｘｂｌｅＦｌａｔＣａｂｌｅ）、フレキシブルプリント配線板（ＦｌｅｘｂｌｅＰｒｉｎｔｅｄＣｉｒｃｕｉｔ）等であるが、如何なる種類の回路基板であってもよい。さらに、電線は、単芯線の電線や同軸電線など如何なる種類の電線であってもよい。複数の電線は一方向に並んでもよい。
【００１０】
本開示では、コネクタ組立体の一例として、一方の回路基板に接続されるコネクタと、他方の回路基板に接続されるコネクタとを含むコネクタ組立体について説明する。２つのコネクタの嵌合によって、２つの回路基板を電気的に接続する。
【００１１】
以下の説明では、図１ＡのＺ１、Ｚ２で示す方向をそれぞれ上方、下方と称し、図１ＡのＹ１−Ｙ２で示す方向を「長手方向」と称し、図１ＡのＸ１−Ｘ２で示す方向を「短手方向」と称する。これらの方向は、コネクタ組立体を構成するコネクタ、それらの部材、及び部位の、相対的な位置関係及び相対的な動作を説明するために使用される。すなわち、これらの方向は、絶対的なものではなく、相対的なものである。したがって、これらの方向は、コネクタ及びコネクタ組立体の使用時におけるコネクタ及びコネクタ組立体の姿勢を限定するものではない。本開示で説明される方向は、コネクタ及びコネクタ組立体の姿勢が変化した場合には、その姿勢の変化に応じて変更して解釈されるべきものである。なお、図２Ａ及び図３Ｂにおいては、後述する第２コネクタ６０が示されている。これらの図では、第２コネクタ６０は、第１コネクタ１０と嵌合する側が上側となる姿勢で配置されている。以下の説明では、第２コネクタ６０と第１コネクタ１０との嵌合状態では、第２コネクタ６０は、第１コネクタ１０に嵌合する側が下側となる姿勢に配置される。したがって、図２Ａ又は図３Ｂを参照して説明する第２コネクタ６０の各部の位置関係と、コネクタ１０、６０の嵌合状態で説明する第２コネクタ６０の各部の位置関係は、上下方向が逆となる。
［第１コネクタ］
【００１２】
図４に示されるように、コネクタ組立体１は、コネクタであって第１コネクタとしてのレセプタクルコネクタ１０と、第２コネクタとしてのプラグコネクタ６０を備えている。
【００１３】
図１Ａに示すように、レセプタクルコネクタ１０は、レセプタクルコネクタ１０が実装される回路基板（不図示）とプラグコネクタ６０の第２端子６１（図２Ａ参照）と接続するための第１端子１１を有している。また、レセプタクルコネクタ１０は、第１端子１１を保持している第１ハウジング２０を有している。レセプタクルコネクタ１０は、その長手方向に並んでいる複数の第１端子１１を有してもよい。さらに、レセプタクルコネクタ１０は、第１ハウジング２０を回路基板に固定するための第１金具としての第１固定金具４０と、第１ハウジング２０にスライド可能に装着されるスライダー３０とを備えてもよい。後において詳説するように、第１ハウジング２０はコネクタの長手方向において互いに反対側に位置する２つの第２壁部２２を有している。レセプタクルコネクタ１０の例では、この２つの第２壁部２２のそれぞれに、スライダー３０と第１固定金具４０とが装着されている。レセプタクルコネクタ１０の例とは異なり、一方の第２壁部２２にだけスライダー３０と第１固定金具４０とが装着されてもよい。
【００１４】
各第１端子１１は、例えば、金属板から打ち抜き加工と曲げ加工とによって形成される部材である。第１端子１１は回路基板に接続される基板接続部１１ａ（図１Ｂ参照）と、第１ハウジング２０に係合する固定部１１ｂ（図１Ｃ及び図１Ｄ参照）と、プラグコネクタ６０の第２端子６１と電気的に接続する弾性変形可能な接続部１１ｃとを有している。接続部１１ｃは、上方に開いた略Ｕ字形状であり、その内側にプラグコネクタ６０の第２端子６１が接続されてもよい。ここで、「固定部１１ｂが第１ハウジング２０に係合する」とは、固定部１１ｂが第１ハウジング２０の一部に引っかかって、その位置が第１ハウジング２０に固定されていることを意味する。
【００１５】
第１ハウジング２０は、合成樹脂等の絶縁材料によって一体的に形成され、略直方体の形状を備えている。具体的には、第１ハウジング２０は、底壁の下面２０ａ（図１Ｂ）と、コネクタの長手方向において延在し、コネクタの短手方向において対向している一対の第１壁部２１（図１Ａ参照）を有している。また、第１ハウジング２０は、第１壁部２１の両端部にそれぞれ位置しコネクタの長手方向において対向している一対の第２壁部２２（図３Ａ参照）を備えている。各第２壁部２２は２つの第１壁部２１の端部に接続しており、各第１壁部２１の下端は下面０２ａに接続している。第１ハウジング２０は、下面２０ａと２つの第１壁部２１と２つの第２壁部２２との内側に、プラグコネクタ６０が嵌合する凹部Ｅ１を有している。第１ハウジング２０は、この凹部Ｅ１の中央部に、下面２０ａから上方に突出し且つコネクタの長手方向において延在している中央突起２３を備えてもよい。
【００１６】
複数の第１端子１１は、第１壁部２１保持されている。レセプタクルコネクタ１０の例では、複数の第１端子１１は、一方の第１壁部２１と中央突起２３との間、及び、他方の第１壁部２１と中央突起２３との間とに配置されている。第１壁部２１の内壁側と中央突起２３の側壁側とには、長手方向に並ぶ複数の溝が形成されてもよい。そして、第１端子１１の接続部１１ｃは第１壁部２１に形成された溝と中央突起２３の溝とに位置してもよい。第１端子１１の基板接続部１１ａは第１壁部２１の下側に位置し、且つ、コネクタの短手方向での外側に延びている（図１Ｂ参照）。第１端子１１の固定部１１ｂは、基板接続部１１ａから上方に延び、その上端１１ｄは、接続部１１ｃに接続している（図１Ａ参照）。固定部１１ｂは第１壁部２１に保持されている。
【００１７】
第１ハウジング２０の形状や第１端子１１の形状は、本開示のコネクタ組立体１の例に限られない。例えば、第１ハウジング２０は中央突起２３を有していない場合、第１端子１１は第１壁部２１に保持されてもよい。
第１固定金具４０は、例えば、金属板から打ち抜き加工及び曲げ加工によって形成される部材である。第１固定金具４０は第１ハウジング２０の第２壁部２２に装着される。図３Ａで示すように、第１固定金具４０は、天板部４１と、コネクタの短手方向における天板部４１の縁から直接的又は間接的に延びている係合機構部としての金具側部４０Ｓを有している。また、金具側部４０Ｓは、スライダー３０と弾性接触するフック（係合部）４３と、第１ハウジング２０に係合する係合部４２を備えてもよい。ここで、「係合部４２が第１ハウジング２０に係合する」とは、係合部４２の一部が第１ハウジング２０に引っかかって、係合部４２が第１ハウジング２０に取り付けられている状態（言い換えれば、固定されている状態）ことを意味する。さらに、金具側部４０Ｓは、回路基板に接続する固定部４２ｄ、４２ｅ（図１Ｂ参照）と、プラグコネクタ６０の第２端子６１又は第３端子６２と電気的に接触する端子部４５ａとを有してよい。金具側部４０Ｓが固定部４２ｄ、４２ｅを備える場合、レセプタクルコネクタ１０を回路基板に強固に固定することができる。また、金具側部４０Ｓが端子部４５ａを備える場合、第１固定金具４０とプラグコネクタ６０の端子６１、６２とが電気的に接続可能となる。その結果、コネクタの部品点数の削減や小型化が可能となる。
［スライダー］
【００１８】
スライダー３０は、金属板から打ち抜き加工及び曲げ加工によって形成される部材である。スライダー３０は、第１ハウジング２０の第２壁部２２に装着される。図３Ａに示すように、スライダー３０は、レセプタクルコネクタ１０の長手方向に延在する平板状の平板部３１と、操作者がスライダー３０を挿抜するための操作部３２とを備えてもよい。また、レセプタクルコネクタ１０の短手方向における平板部３１の両端縁のそれぞれに、第１固定金具４０のフック４３と係合可能な第１被係合部３３が少なくとも１つ形成され、平板部３１の両端縁のそれぞれに第２被係合部３４が少なくとも１つ形成されてもよい（図６Ｃ参照）。第１被係合部３３と第２被係合部３４は、平板部３１の片側の端縁に対して、例えば長手方向に並んでおり、タンデムに配置されてよい。平板部３１は、その先端に、第２コネクタ６０をロックするためのロック部３５を備えている。図７Ｂに示すように、スライダー３０の平板部３１は、その下面が第１ハウジング２０の第２壁部２２の上面と対向し、その上面が第１固定金具４０の天板部４１の下面と対向するように配置されてよい。スライダー３０は、コネクタの長手方向にスライド可能に配置されている。
【００１９】
上述したように、レセプタクルコネクタ１０の例では、スライダー３０は板状である。すなわち、スライダー３０は平板部３１を有している。平板部３１は、その厚さがレセプタクルコネクタ１０の高さ方向（Ｚ１−Ｚ２方向）に向くように配置されている。スライダー３０のこの形状によると、ロック部３５の幅を大きくできる。その結果、レセプタクルコネクタ１０に対する第２コネクタであるプラグコネクタ６０の動きをより効果的に抑えることができる。すなわち、コネクタの長手方向に沿った中心線Ｃ１（図５Ａ参照）周りの第２コネクタ６０の動きを抑えることができる。なお、本明細書において、板状のスライダーとは、平板部３１の幅Ｗ１（図６Ｃ参照）が、厚さＨ１（図７Ｂ参照）よりも大きいスライダーを意味する。
【００２０】
スライダー３０は第１ハウジング２０の第２壁部２２によって支持され、長手方向にスライド可能である。具体的には、スライダー３０は、ロック位置（図７Ｃ参照）とロック解除位置（図７Ｂ参照）との間で長手方向にスライド可能である。レセプタクルコネクタ１０の例では、スライダー３０は第２壁部２２の上側に配置されている。図６Ｂに示すように、第２壁部２２は、その上面に、コネクタの短手方向において向き合う２つのガイド壁部２２ａを有している。ガイド壁部２２ａは、短手方向での端部に位置し、レセプタクルコネクタ１０の長手方向において延びている。スライダー３０はこの２つのガイド壁部２２ａの間に配置されている。スライダー３０の縁はガイド壁部２２ａに当たっていてもよいし、ガイド壁部２２ａに当たっていなくてもよい。
【００２１】
図７Ｃに示されるように、スライダー３０は、ロック位置にあるとき、第１ハウジング２０の凹部Ｅ１の内側に嵌合しているプラグコネクタ６０をロックする。ここで「スライダー３０がプラグコネクタ６０をロックする」とは、スライダー３０の一部がプラグコネクタ６０の一部に対して上方に位置すること、すなわち、スライダー３０の一部がプラグコネクタ６０の一部に対してプラグコネクタ６０の抜け方向に位置することを意味する。スライダー３０はプラグコネクタ６０に当たっていてもよいし、プラグコネクタ６０に当たっていなくてもよい。レセプタクルコネクタ１０の例では、スライダー３０は、その先端（長手方向の内側に向いた端部）にロック部３５を有している（本明細書において「長手方向の内側に向いた方向」とは、例えば図７Ｃに示す長手方向の中心Ｃ２に向いた方向を意味する。）。プラグコネクタ６０は、その長手方向の端部に、後述する第２固定金具８０を有している。スライダー３０がロック位置にあるとき、ロック部３５はこの第２固定金具８０に係合し、プラグコネクタ６０をロックする。すなわち、ロック部３５は、プラグコネクタ６０のレセプタクルコネクタ１０からの分離を規制する。「ロック部３５が第２固定金具８０に係合する」とは、ロック部３５が第２固定金具８０の一部に対して上方に位置すること、すなわち、ロック部３５が第２固定金具８０の一部に対してプラグコネクタ６０の抜け方向に位置することを意味する。ロック部３５は第２固定金具８０に当たっていてもよいし、第２固定金具８０に当たっていなくてもよい。プラグコネクタ６０の例では、第２固定金具８０は、コネクタの長手方向での外側に突出する板状の張り出し部８１ａ（図２Ｂ参照）を有している。図７Ｃに示すように、スライダー３０がロック位置にあるとき、ロック部３５はこの張り出し部８１ａの上方に位置し、プラグコネクタ６０の上方への動き（プラグコネクタ６０の抜け方向への動き）を規制する。なお、ロック部３５とプラグコネクタ６０との係合は、この張り出し部８１ａを利用したものに限定されない。例えば、プラグコネクタ６０が有しているハウジング７０に、張り出し部或いはロック部３５が嵌まる凹部が形成されてもよい。
【００２２】
図７Ｂに示すように、スライダー３０は、ロック解除位置にあるとき、第１ハウジング２０の凹部Ｅ１の内側に配置されているプラグコネクタ６０から離れる。コネクタ組立体１の例では、ロック部３５は、張り出し部８１ａの上側の空間Ｓ１から、長手方向の外側に退避する。これによって、プラグコネクタ６０のロックが解除される。すなわち、ロック部３５は、プラグコネクタ６０のレセプタクルコネクタ１０からの分離を許容する。
［第１被係合部とフック］
【００２３】
上述したように、スライダー３０は第１被係合部３３を有してもよい。また、第１固定金具４０はフック４３を有してもよい。図６Ｃに示すように、スライダー３０がロック位置にあるとき、フック４３は第１被係合部３３に係合し、スライダー３０のロック位置からロック解除位置への移動を制限する。ここで、「フック４３が第１被係合部３３に係合する」とは、フック４３の一部が、第１被係合部３３に対してレセプタクルコネクタ１０の長手方向の外側に位置しており、且つ、スライダー３０が長手方向の外側に動いたときに、フック４３の一部が第１被係合部３３に当たることを意味する。スライダー３０が長手方向での中心に向かって最も深く挿入されているとき、フック４３は第１被係合部３３に当たっていなくてもよい。フック４３は弾性変形可能であり、スライダー３０は、このフック４３の弾性変形によって、ロック位置とロック解除位置との間での移動が許容される。このようなレセプタクルコネクタ１０によると、スライダー３０をロック位置に配置することによって、レセプタクルコネクタ１０に対するプラグコネクタ６０の動きが抑えられ、それらの電気的接続の安定性を向上できる。また、操作者が意図しないときに、スライダー３０がロック位置からロック解除位置に移動することを、フック４３によって防ぐことができる。
【００２４】
図６Ｃに示すように、第１被係合部３３はスライダー３０の縁３１ａに形成されてもよい。より詳細には、平板部３１はコネクタの短手方向において互いに反対側に位置する２つの縁３１ａを有し、第１被係合部３３は、２つの縁３１ａのそれぞれに形成されてもよい。第１被係合部３３は縁３１ａから短手方向に突出している凸部であってよい。また、その凸部の縁は、内側かつ短手方向の外側に向かって延びる傾斜部と、内側且つ短手方向の内側に向かって延びる傾斜部を備えてもよい。
【００２５】
図６Ｃに示すように、フック４３は、コネクタの短手方向においてスライダー３０の外側に位置し、平板部３１の縁３１ａと向き合ってもよい。レセプタクルコネクタ１０の例では、第１固定金具４０は、コネクタの短手方向において互いに反対側に位置する２つのフック４３を含んでいる。スライダー３０は２つのフック４３の間に配置されてよい。すなわち、２つのフック４３は、コネクタの短手方向においてスライダー３０を挟んでよい。各フック４３は、コネクタの短手方向において弾性変形可能である。より詳細には、フック４３は、基部４３ｂと、基部４３ｂから延びている板ばね状の延伸部４３ｃとを有している。延伸部４３ｃは基部４３ｂからスライダー３０の縁３１ａに向かって斜めに延びている。レセプタクルコネクタ１０の例では、延伸部４３ｃは、基部４３ｂから、スライダー３０の縁３１ａに向かって且つコネクタの長手方向の内側に向かって斜めに延びている。フック４３は、延伸部４３ｃが基部４３ｂを中心としてコネクタの短手方向で動くように弾性変形可能であってよい。
【００２６】
図６Ｃに示すように、スライダー３０がロック位置にあるとき、フック４３の端部４３ａ（延伸部４３ｃの端部）がスライダー３０の第１被係合部３３に当たり、ロック位置からロック解除位置へのスライダー３０のスライドを規制する。より詳細には、スライダー３０がロック位置にあるとき、第１被係合部３３は延伸部４３ｃよりも長手方向の内側に位置している。そして、フック４３の端部４３ａは、第１被係合部３３の長手方向の外側の縁３３ａに当たる。このようにフック４３の端部４３ａが第１被係合部３３に当たるので、ロック位置からロック解除位置へのスライダー３０のスライドを効果的に規制できる。なお、スライダー３０がロック位置にあるとき、フック４３の端部４３ａは、必ずしも第１被係合部３３に当たっていなくてもよい。スライダー３０がロック解除位置に向けて移動しようとしたときに、フック４３の端部４３ａは第１被係合部３３に当たってもよい。
【００２７】
フック４３が弾性変形し、延伸部４３ｃがコネクタの短手方向での外側に向けて動くと、ロック位置からロック解除位置へのスライダー３０のスライドが許容される。図６Ｃに示すように、フック４３の端部４３ａがあたる第１被係合部３３の縁３３ａは傾斜してよい。詳細には、縁３３ａは、コネクタの長手方向での内側に向けて且つ短手方向での外側に向けて斜めに延びてよい。これによると、スライダー３０をロック解除位置に向けて引く力が作用すると、フック４３の端部４３ａは縁３３ａに沿って移動し、フック４３が自然に弾性変形する。
【００２８】
図６Ｂに示すように、スライダー３０がロック解除位置にあるとき、フック４３の端部４３ａはスライダー３０の第１被係合部３３よりも長手方向の内側に位置し、第１被係合部３３には延伸部４３ｃが当たる。フック４３が弾性変形し、フック４３の延伸部４３ｃがコネクタの短手方向での外側に移動すると、ロック解除位置からロック位置へのスライダー３０のスライドが許容される。スライダー３０をロック位置に向けて押す力が作用すると、延伸部４３ｃが第１被係合部３３によってコネクタの短手方向での外側に向けて押されて、フック４３の弾性変形を生じる。第１被係合部３３の縁３３ｂ（長手方向の中心Ｃ２側の縁）も傾斜してよい。そして、フック４３の延伸部４３ｃは第１被係合部３３の縁３３ｂに当たってもよい。スライダー３０は２つの延伸部４３ｃによって挟まれてよい。こうすることによって、スライダー３０のがたつきを抑えることができる。
【００２９】
上述したように、レセプタクルコネクタ１０の例では、フック４３の延伸部４３ｃは、基部４３ｂから、コネクタの長手方向での内側に向かって斜めに延びている。このようなフック４３によると、スライダー３０をロック解除位置に向けて動かすのに必要な力を、スライダー３０をロック位置に向けて動かすのに必要な力に比べて大きくできる。
【００３０】
また、レセプタクルコネクタ１０は、スライダー３０を挟んで互いに反対側に位置する２つのフック４３を有している。これによると、例えばコネクタの短手方向でのスライダー３０の位置を、フック４３によって案内できる。
【００３１】
上述したように、第１固定金具４０は、第１ハウジング２０に固定されている係合部４２を有してよい。図１Ａ及び図６Ａに示すように、係合部４２は、第１ハウジング２０の第２壁部２２の側面（コネクタの短手方向の外側に向いた面）に固定されてよい。フック４３の基部４３ｂはこの係合部４２に接続してよい。より詳細には、係合部４２は第２壁部２２の側面に沿って配置される壁状である。そして、フック４３の基部４３ｂは、係合部４２の端部（コネクタの長手方向での外側の端部）に接続してよい。フック４３は、基部４３ｂにおいて屈曲して、コネクタの長手方向での内側に向かって延びてもよい。第１固定金具４０のこの構造によると、基部４３ｂと係合部４２との距離が小さいので、フック４３が受ける力によって基部４３ｂの位置が動いてしまうことを、係合部４２によって抑えることができる。
【００３２】
図３Ａ及び図６Ａに示すように、係合部４２には凹部４２ａが形成されてよい。一方、第２壁部２２には、凹部４２ａに嵌まる凸部２２ｄが形成されてよい。凹部４２ａの内縁には爪が形成されており、この爪が凸部２２ｄに引っかかってよい。係合部４２と第２壁部２２との固定構造は、適宜変更されてよい。
【００３３】
上述したように、第１固定金具４０の金具側部４０Ｓは、回路基板に接続される固定部４２ｄ、４２ｅを有してもよい。図６Ａに示すように、係合部４２の下縁が固定部４２ｄ、４２ｅとして機能してよい。固定部４２ｄ、４２ｅは、第１ハウジング２０の下面２０ａよりも下方に位置している。係合部４２は、凹部４２ａを挟んで反対側に位置する２つの固定部４２ｄ、４２ｅを有している。この構造によると、フック４３が受ける力によって基部４３ｂの位置が動いてしまうことを、さらに効果的に抑えることができる。
【００３４】
第１被係合部３３とフック４３の構造は、レセプタクルコネクタ１０の例に限られない。例えば、フック４３は、第１固定金具４０の天板部４１に形成されてもよい。この場合、第１被係合部３３は、スライダー３０の平板部３１から上方に突出する凸部であってよい。さらに他の例として、スライダー３０がロック位置にあるときに第１被係合部３３が当たるのは、フック４３の端部４３ａでなくてもよい。例えば、フック４３は、延伸部４３ｃから長手方向の内側に向かって且つ短手方向の外側に向かってさらに延びる延伸部を有してもよい。そして、この延伸部に第１被係合部３３はあたってもよい。さらに他の例として、基部４３ｂは、延伸部４３ｃよりもコネクタの長手方向での内側に位置してもよい。この場合、延伸部４３ｃは、基部４３ｂから、長手方向での外側に向かって且つスライダー３０の縁３１ａに向かって斜めに伸びてもよい。
【００３５】
［第２被係合部とフック］
図６Ｂに示すように、スライダー３０は第２被係合部３４を有してもよい。スライダー３０がロック解除位置にあるとき、フック４３は第２被係合部３４に係合し、スライダー３０のロック解除位置から長手方向の外側に向かってスライダー３０がさらに移動するのを規制する。すなわち、第２被係合部３４は、レセプタクルコネクタ１０からのスライダー３０の抜けを規制する。ここで、「フック４３が第２被係合部３４に係合する」とは、フック４３の一部が、第２被係合部３４に対してレセプタクルコネクタ１０の長手方向の外側に位置しており、且つ、スライダー３０が長手方向の外側に動いたときに、フック４３の一部が第２被係合部３４に当たることを意味する。スライダー３０が長手方向における最も外側に位置しているとき、フック４３は第２被係合部３４に当たっていなくてもよい。
【００３６】
レセプタクルコネクタ１０の例では、第２被係合部３４は、第１被係合部３３と同様、スライダー３０（平板部３１）の縁３１ａに形成されてよい。第２被係合部３４は、２つの縁３１ａのそれぞれに形成されてよい。第２被係合部３４は短手方向に突出している凸部であってよい。その凸部は、短手方向外側に向かって延びる形状を備えてもよい。第２被係合部３４は、第１被係合部３３よりも、長手方向での内側に位置する。言い換えれば、第２被係合部３４は、第１被係合部３３よりも、スライダー３０の先端にあるロック部３５寄りに位置する。
【００３７】
スライダー３０がロック解除位置にあるとき、フック４３の端部４３ａが第２被係合部３４に当たる。より詳細には、スライダー３０がロック解除位置にあるとき、フック４３の延伸部４３ｃは第２被係合部３４よりも長手方向の外側に位置している。そして、フック４３の端部４３ａは、第２被係合部３４の縁３４ａ（長手方向での外側の縁）に当たっている。
【００３８】
第２被係合部３４の凸部の突出量（短手方向での長さ）は第１被係合部３３の凸部の突出量よりも大きくてもよい。このことによって、第２被係合部３４とフック４３との係合を、より確実に維持できる。
【００３９】
また、図６Ｂに示すように、スライダー３０が第２被係合部３４の位置で有している幅Ｗ２は、スライダー３０が第１被係合部３３の位置で有している幅Ｗ１よりも大きくてもよい。また、スライダー３０が第２被係合部３４の位置で有している幅Ｗ２は、スライダー３０のロック部３５の幅Ｗ５よりも大きくてもよい。レセプタクルコネクタ１０の例では、スライダー３０の上方に、第１固定金具４０の天板部４１が位置している。スライダー３０がロック位置にある状態でプラグコネクタ６０を引き上げる力が作用したとき、スライダー３０も引き上げられて、第１固定金具４０の天板部４１にあたる可能性がある。スライダー３０が天板部４１に当たった場合に天板部４１が湾曲してしまうことを、第２被係合部３４での幅Ｗ２を大きくすることによって抑えることができる。言い換えれば、スライダー３０の上方への動きを、天板部４１によって、より確実に抑えることができ、スライダー３０がレセプタクルコネクタ１０から脱落することを抑えることができる。その結果、スライダー３０とプラグコネクタ６０との係合を、より確実に維持できる。
［被係止部と係止穴］
【００４０】
さらに、図７Ｂに示すように、スライダー３０は被係止部３６を有してもよい。スライダー３０がロック解除位置にあるとき、被係止部３６は第１ハウジング２０に当たる。そして、被係止部３６は、スライダー３０がロック解除位置からコネクタの長手方向の外側に向けて更に移動することを、規制する。すなわち、被係止部３６も、第２被係合部３４と同様に、コネクタ１０からのスライダー３０の抜けを規制する。
【００４１】
図７Ｂに示すように、被係止部３６は、平板部３１に形成されてもよい。詳細には、平板部３１の一部（スライダー３０の例では、平板部３１の中央部分）は下方に折り曲げられており、その一部が被係止部３６として機能してよい。第１ハウジング２０の第２壁部２２には、上方に開口した係止穴２２ｂが形成されてよい。そして、被係止部３６はこの係止穴２２ｂに配置され、スライダー３０のスライドに伴って係止穴２２ｂ内で長手方向に動いてよい。スライダー３０がロック解除位置にあるとき、被係止部３６は係止穴２２ｂの内面（長手方向におけ外側に位置する面）に当たり、スライダー３０の長手方向への移動を規制する。
【００４２】
被係止部３６の位置や形状は、レセプタクルコネクタ１０の例に限られない。例えば、被係止部３６は平板部３１の縁３１ａに形成され、第２壁部２２には被係止部３６に対応する位置に係止穴が形成されてもよい。さらに他の例では、被係止部３６は、平板部３１に形成される穴であってもよい。この場合、第２壁部２２の上面側には、この穴に嵌まる凸部が係止部として形成されてもよい。さらに他の例では、スライダー３０は被係止部３６を有していなくてもよい。
［操作部］
【００４３】
図３Ａに示すように、スライダー３０は操作部３２を有してよい。操作部３２は平板部３１の端部（長手方向での外側の端部）に形成される。操作部３２は、第１ハウジング２０の第２壁部２２に対して長手方向での外側に位置している（図７Ｂ参照）。このことによって、操作者は操作部３２を押したり、引いたりすることで、スライダー３０をスライドさせることができる。操作部３２は下方に延びている部分３２ａ（図３Ａ参照）を有してもよい（以下では、この部分３２ａを「支持部」と称する）。図７Ｂに示すように、支持部３２ａは第２壁部２２上に配置される平板部３１よりも下方に位置してよい。操作部３２のこの形状によると、操作部３２を押し下げる力が作用した場合に、レセプタクルコネクタ１０が実装される回路基板に支持部３２ａが当たり、操作部３２を支えることができる。支持部３２ａの下端３２ｂは、第１ハウジング２０の下面２０ａと実質的に同じ高さに位置してよい。レセプタクルコネクタ１０の例とは異なり、支持部３２ａの下端３２ｂの位置は、第１ハウジング２０の下面２０ａよりも高くてもよい。
【００４４】
レセプタクルコネクタ１０の例では、操作部３２は、平板部３１に対して上側に屈曲している。そして、操作部３２は、コネクタの短手方向における操作部３２の両端部に、支持部３２ａを有している。操作部３２の形状は、スライダー３０の例に限られない。例えば、操作部３２は、平板部３１に対して下側に折り曲げられ、上述した支持部として機能してよい。さらに他の例では、操作部３２は、スライダー３０の短手方向での平板部３１の外側の端部に、同様に形成されてよい。さらに他の例では、操作部３２は必ずしも支持部３２ａを有していなくてもよい。
［第１固定金具］
【００４５】
上述したように、第１固定金具４０は２つの金具側部４０Ｓを有してよい。図３Ａに示すように、２つ金具側部４０Ｓは、コネクタの短手方向においてスライダー３０を挟んで、互いに反対側に位置する。第１固定金具４０は、２つの金具側部４０Ｓを繋ぐ部分を有してよい。これによると、レセプタクルコネクタ１０の部品数を低減できる。レセプタクルコネクタ１０の例では、第１固定金具４０は上述した天板部４１を有している。天板部４１は２つの金具側部４０Ｓの間に位置し、それらを接続している。より詳細には、各金具側部４０Ｓは係合部４２を有してよい。そして、天板部４１は、２つの係合部４２の上縁の間に位置し、それらを接続してよい。
【００４６】
図７Ｂ及び図７Ｃに示すように、天板部４１はスライダー３０の上側に位置してよい。そして、スライダー３０は、第１ハウジング２０の第２壁部２２の上面と天板部４１との間でスライド可能となってよい。この構造によると、例えば第２壁部２２に、スライダー３０を挿入するための貫通孔を形成する構造に比して、レセプタクルコネクタ１０の製造を容易化、且つ、低背化できる。
【００４７】
図７Ｂ及び図７Ｃに示すように、第２壁部２２の上面と天板部４１の下面との間の隙間は、スライダー３０の厚さに実質的に対応してよい。この構造によると、天板部４１によってスライダー３０の動きを案内できる。すなわち、スライダー３０が上方又は下方に傾くことを、抑えることができる。
【００４８】
第１固定金具４０の構造は、レセプタクルコネクタ１０の例に限られない。例えば、２つの金具側部４０Ｓは天板部４１を介して繋がっていなくてもよい。この場合、レセプタクルコネクタ１０は、スライダー３０を挟んで互いに反対側に位置する２つの第１固定金具４０を有してもよい。そして、各第１固定金具４０に、１つのフック４３と１つの係合部４２とが設けられてもよい。この場合、各第１固定金具４０の天板部４１は、スライダー３０の上側の一部だけを覆ってもよいし、金具側部４０と別体の天板部材を用いてもよい。例えば、天板部４１は、スライダー３０の縁３１ａや被係合部３３、３４の上方にだけ位置し、スライダー３０の中央部の上方には存在しなくてもよい。
【００４９】
金具側部４０Ｓは、端子部４５ａと、ガイド部４５ｂと、被保持部４５ｃとを有してよい。図１Ａ及び図３Ａに示すように、金具側部４０Ｓはアーム部４５ｄをさらに有してよい。アーム部４５ｄは、第１壁部２１の外側に沿って配置され、係合部４２から長手方向の内側に向かって延在している。アーム部４５ｄは、コネクタの短手方向の外側に広がるように弾性変形可能であってもよい。端子部４５ａと、ガイド部４５ｂと、被保持部４５ｃのそれぞれはアーム部４５ｄから短手方向での内側に向かって延びて、第１ハウジング２０の凹部Ｅ１の内側に位置している（「短手方向での内側に向かう」方向は短手方向での中心線Ｃ１に向かう方向を意味する。）。
【００５０】
端子部４５ａは、アーム部４５ｄから第１壁部２１の内側に延び、その後、下側に屈曲している。２つのコネクタ１０、６０との嵌合状態では、端子部４５ａは、プラグコネクタ６０の端子６２（図３Ｂ参照）に接触する。端子部４５ａは弾性変形可能であり、その弾性力によって端子６２に接触する。
【００５１】
ガイド部４５ｂは、アーム部４５ｄから第１壁部２１の内側に向かって斜め下方に延びている。２つのコネクタ１０、６０を嵌合させる過程で、ガイド部４５ｂは、プラグコネクタ６０の後述する第２固定金具８０に当たり、プラグコネクタ６０をレセプタクルコネクタ１０にとって適切な位置に案内する。
【００５２】
被保持部４５ｃは、アーム部４５ｄから第１壁部２１の内側に沿って延びている。被保持部４５ｃは、第１壁部２１の内面に形成された凹部２１ｃ（図３Ａ参照）に嵌まり、これに固定される。
【００５３】
レセプタクルコネクタ１０の例では、端子部４５ａ、ガイド部４５ｂ、被保持部４５ｃは、この順番で、アーム部４５ｄの先端から並んでいる。
【００５４】
第１固定金具４０の構造は、レセプタクルコネクタ１０の例に限られない。例えば、第１固定金具４０は、アーム部４５ｄ、端子部４５ａ、ガイド部４５ｂ、及び被保持部４５ｃの一部又は全部を有していなくてもよい。
［第２コネクタ］
【００５５】
図３Ｂに示すように、プラグコネクタ６０は、回路基板Ｗ（図４参照）とレセプタクルコネクタ１０の第１端子１１とを接続するための第２端子６１と、第２端子６１を保持する第２ハウジング７０とを有している。また、プラグコネクタ６０は、第２ハウジング７０を回路基板に固定するための第２固定金具８０とを備えてもよい。
【００５６】
各第２端子６１は、例えば、金属板から打ち抜き加工と曲げ加工とによって形成される部材である。図３Ｂに示すように、第２端子６１は、回路基板に接続される基板接続部６１ａと、第２ハウジング７０に係合しており、第１端子１１の略Ｕ字状の接続部１１ｃと電気的に接続する接続部６１ｂとを備えている。「接続部６１ｂが第２ハウジング７０に係合している」とは、接続部６１ｂが第２ハウジング７０に取り付けられていること（第２ハウジング７０に固定されていること）を意味する。なお、プラグコネクタ６０は、グランド用端子として使用される第３端子６２を含んでもよい。その場合、第３端子６２は、第１固定金具４０の弾性変形可能な端子部４５ａと電気的又は機械的に接続されてもよい。
【００５７】
図３Ｂに示すように、第２ハウジング７０は、合成樹脂等の絶縁材料によって一体的に形成され、略直方体の形状を備えている。具体的には、第２ハウジング７０は、底壁の下面７０ａ（図２Ｂ参照）と、コネクタの長手方向に延在し、短手方向において対向している一対の第１壁部７１とを有している。また、第２ハウジング７０は、第１壁部７１の両端部にそれぞれ位置しコネクタの長手方向において対向している一対の第２壁部７２を備えている。第２ハウジング７０は、底壁の下面７０ａと第１壁部７１と第２壁部７２の内側に、凹部Ｅ２を有している。図７Ｂ及び図７Ｃに示すように、コネクタ１０、６０の嵌合状態では、第２ハウジング７０は、レセプタクルコネクタ１０の凹部Ｅ１の内側に嵌まる。このとき、第１ハウジング２０の中央突起２３は、第２ハウジング７０の凹部Ｅ２の内側に嵌まる。
【００５８】
図３Ｂに示すように、プラグコネクタ６０は、長手方向に並んでいる複数の第２端子６１を有してよい。複数の第２端子６１は、２つの第１壁部７１のそれぞれに取り付けられてよい。第２端子６１の接続部６１ｂは下方に開いた略Ｕ字形状であり、その内側に第１壁部７１が位置し、第２端子６１は第１壁部７１に固定される。コネクタ１０、６０の嵌合状態では、接続部６１ｂは第１端子１１の接続部１１ｃの内側に嵌まり、両者は電気的に接続する。第２端子６１の基板接続部６１ａは接続部６１ｂの下端から、コネクタの短手方向の外側に延びる。
【００５９】
上述したように、プラグコネクタ６０は第３端子６２を有してよい。第３端子６２は複数の第２端子６１に対して、コネクタの長手方向の外側に位置し、第１壁部７１に固定されてよい（図２Ａ参照）。図３Ｂに示すように、第３端子６２は下方に開いた略Ｕ字形状の接続部６２ｂを有する。この接続部６２ｂの内側に第１壁部７１が嵌まり、第３端子６２は第１壁部７１に固定される。コネクタ１０、６０の嵌合状態では、接続部６２ｂは第１固定金具４０の端子部４５ａに電気的に接続する。第３端子６２の基板接続部６２ａは接続部６２ｂの下端から、コネクタの短手方向の外側に延びている。なお、第２端子６１と第３端子６２は、本開示のように異なる形状でもよいし、同一の形状であってもよい。また、第２端子６１と第３端子６２は、第１壁部７１に外側から装着されてもよいし、第１壁部７１を成形するときに第１壁部７１と一体的に成形されて第１壁部７１に固定されてもよい。プラグコネクタ６０は、第２ハウジング７０の第２壁部７２に装着される第２固定金具８０を有してよい。プラグコネクタ６０の例では、２つの第２壁部７２のそれぞれに第２固定金具８０は装着されている。第２固定金具８０は、例えば、金属板から打ち抜き加工と曲げ加工とによって形成される部材である。図２Ａ及び図３Ｂに示されるように、第２固定金具８０は、第２壁部７２の上側に配置される天板部８１を有してよい。
【００６０】
第２固定金具８０は、コネクタの短手方向における天板部８１の縁部から下方に延在している壁部８２を有してよい。第２固定金具８０は、コネクタの短手方向において対向する２つの壁部８２を有し、それらの間に第２壁部７２が配置されてよい。壁部８２の下縁は、プラグコネクタ６０が実装される回路基板に接続される固定部８２ａとして機能する。
【００６１】
また、第２固定金具８０は、コネクタの長手方向における天板部８１の縁（長手方向の内側の縁）から下方に延びている係合部８３を備えてよい。係合部８３は、第２壁部８２に係合し、第２固定金具８０を第２ハウジング７０に固定する。ここで「係合部８３が第２壁部８２に係合する」とは、係合部８３が第２ハウジング７０の一部に引っかかって、その位置が第２ハウジング７０に固定されていることを意味する。プラグコネクタ６０の例では、第２固定金具８０は、コネクタの短手方向において離れて位置する２つの係合部８３を有している第２ハウジング７０の第２壁部７２には、２つの係合部８３にそれぞれ対応する２つの凹部７２ａが形成されている。係合部８３は凹部７２ａに嵌まり、第２壁部７２に係合している。詳細には、２つの係合部８３の内側には爪８３ａ（図３Ａ参照）が形成され、この爪８３ａが凹部７２ａの内面に引っかかっている。第２固定金具８０と第２ハウジング７０との固定構造は、プラグコネクタ６０の例に限られず、適宜変更されてよい。
【００６２】
図２Ｂに示すように、第２固定金具８０は、天板部８１に、張り出し部８１ａを有してよい。張り出し部８１ａは、第２壁部７２の外面（コネクタの長手方向の外側に向いた面）よりも、さらに外側に延びており、庇状となっている。そのため、プラグコネクタ６０は、張り出し部８１ａの下方に、空間Ｓ１を有している。図７Ｃに示すように、コネクタ１０、６０の嵌合状態でスライダー３０がロック位置にあるとき、スライダー３０の端部（ロック部３５）はこの空間Ｓ１に位置し、張り出し部８１ａはロック部３５の下側に位置する。すなわち、ロック部３５はプラグコネクタ６０に係合する。図７Ｃに示すように、張り出し部８１ａは、コネクタ１０、６０の嵌合状態での姿勢にあるときに、上方に傾斜してもよい。これによって、プラグコネクタ６０をレセプタクルコネクタにとって適切な位置に案内することができ、また、張り出し部８１ａの端部とスライダー３０との距離を小さくできる。その結果、２つのコネクタ１０、６０の嵌合状態で、２つのコネクタ１０、６０の相対的な位置が変化すること、すなわちプラグコネクタ６０が、がたつくことをより効果的に規制できる。
［操作方法］
【００６３】
次に、レセプタクルコネクタ１０とプラグコネクタ６０とを嵌合する動作について、説明する。
【００６４】
レセプタクルコネクタ１０が回路基板に実装されるとき、第１端子１１の基板接続部１１ａと第１固定金具４０の固定部４２ｄ、４２ｅが回路基板の接続パッドに、はんだ等で接続される。また、プラグコネクタ６０が回路基板Ｗに実装されるとき、第２端子６１の基板接続部６１ａと第３端子６２の基板接続部６２ａと、第２固定金具８０の固定部８２ａが、回路基板の接続パッド等に、はんだによって取り付けられる。
【００６５】
操作者は、レセプタクルコネクタ１０のスライダー３０の操作部３２を指や工具によって長手方向の外側に引き出し、スライダー３０をロック解除位置に配置する（図６Ｂ及び図７Ｂ参照）。このとき、第１固定金具４０のフック４３は、スライダー３０の第２被係合部３４に係合し、長手方向の外側へのスライダー３０の更なる移動を規制する。そして、操作者は、レセプタクルコネクタ１０の上面である嵌合面と、プラグコネクタ６０の上面である嵌合面とを対向させる。このとき、レセプタクルコネクタ１０の第１壁部２１と中央突起２３との間に形成された溝と、プラグコネクタ６０の第１壁部７１とが対向する。この状態で、操作者は、レセプタクルコネクタ１０とプラグコネクタ６０とを嵌合させる。その結果、レセプタクルコネクタ１０の第１端子１１は、プラグコネクタ６０の第２端子６１と電気的に接続する。
【００６６】
次に、操作者は、スライダー３０の操作部３２を指や工具によって長手方向における内側に押し込む。すなわち、操作者は、フック４３の弾性力に抗しながらスライダー３０をロック位置に移動させて、第１固定金具４０のフック４３をスライダー３０の第１被係合部３３に係合させる。そのとき、スライダー３０のロック部３５の下側に、プラグコネクタ６０の第２固定金具８０の天板部８１が有している張り出し部８１ａが位置する。言い換えれば、ロック部３５は、張り出し部８１ａの上側の空間Ｓ１に挿入される。その結果、レセプタクルコネクタ１０とプラグコネクタ６０はロックされた状態となり、衝撃や操作者の誤操作等の意図しない現象によって、レセプタクルコネクタ１０とプラグコネクタ６０の嵌合状態が解除されることを防止することができる。
【００６７】
また、レセプタクルコネクタ１０とプラグコネクタ６０との嵌合を解除するとき、操作者は、スライダー３０の操作部３２を指で長手方向の外側に引き出す。すなわち、操作者は、フック４３の弾性力に抗しながらスライダー３０をロック解除位置に移動させる。このとき、第１固定金具４０のフック４３は、スライダー３０の第２被係合部３４に係合する。また、スライダー３０のロック部３５はプラグコネクタ６０の第２固定金具８０の張り出し部８１ａに対向しなくなる。すなわち、ロック部３５は、張り出し部８１ａの上側の空間Ｓ１からコネクタの長手方向の外側に引き抜かれる。その結果、レセプタクルコネクタ１０とプラグコネクタ６０のロックが解除され、レセプタクルコネクタ１０とプラグコネクタ６０の嵌合を解除することができる。
【００６８】
以上説明したように、レセプタクルコネクタ１０は、第２壁部２２で支持され且つ長手方向においてスライド可能なスライダー３０と、第２壁部２２に取り付けられている第１固定金具４０と、を有している。スライダー３０は、凹部Ｅ１の内側に嵌合しているプラグコネクタ６０をスライダー３０がロックするロック位置（図６Ｃ、図７Ｃ）と、プラグコネクタ６０から長手方向での外側にスライダー３０が離れておりプラグコネクタ６０のロックが解除されるロック解除位置（図６Ｂ、図７Ｂ）との間でスライド可能である。第１固定金具４０はフック４３を有し、スライダー３０は、フック４３が係合するための第１被係合部３３を有している。フック４３は弾性変形可能である。スライダー３０は、フック４３と第１被係合部３３との係合によりロック位置からロック解除位置への移動が制限され、フック４３の弾性変形によりロック位置とロック解除位置との間でのスライドが許容される。このレセプタクルコネクタ１０によれば、スライダー３０をロック位置に配置することによって、レセプタクルコネクタ１０に対するプラグコネクタ６０の動きが抑えられ、それらの電気的接続の安定性を向上できる。また、操作者が意図しないときに、スライダー３０がロック位置からロック解除位置に移動することを、フック４３によって防ぐことができる。
【００６９】
なお、本開示で提案するコネクタ及びコネクタ組立体は、以上説明したコネクタ１０、６０の例に限られず、種々の変更が可能である。
【００７０】
例えば、コネクタ１０、６０では、第１及び第２固定金具４０、８０は、回路基板に固定される固定部４２ｄ、４２ｅ、８２ａを有していたが、固定部４２ｄ、４２ｅ、８２ａを有していなくてもよい。この場合、第１及び第２端子１１、６１の基板接続部１１ａ、６１ａのみが、回路基板の接続パッドに、はんだなどによって接続してもよい。
【００７１】
また、レセプタクルコネクタ１０の例では、第１固定金具４０は、スライダー３０の被係合部３３、３４に係合する係合部として、フック４３を有していた。しかしながら、この係合部はフック形状でなくてもよい。つまり、係合部はその基部４３ｂで屈曲していなくてもよい。
【００７２】
他の例として、スライダー３０に弾性変形可能な被係合部が形成されてもよい。この場合、第１固定金具４０に形成される係合部は、弾性変形可能であってもよいし、弾性変形可能でなくてもよい。
【００７３】
レセプタクルコネクタ１０の例では、スライダー３０が間に配置される２つのフック（係合部）４３は、天板部４１を介して互いに繋がっていた。しかしながら、２つのフック４３は、天板部４１とは異なる部分を介して、互いに繋がっていてもよい。この場合でも、２つのフック４３が互いに繋がっていることによって、すなわち１つの第１固定金具４０に２つのフック４３を設けることによって、部品数を低減できる。
【００７４】
さらに他の例では、レセプタクルコネクタ１０が有するスライダー３０の数は１つでもよい。
【００７５】
本開示は一例にすぎず、本開示の主旨を保った適宜変更であって当業者が容易に想到し得るものは本発明の範囲に含まれる。図面で示す各部の幅、厚さ及び形状等は模式的に表されており、本開示の解釈を限定するものではない。
【符号の説明】
【００７６】
１  コネクタ組立体、１０  レセプタクルコネクタ（第１コネクタ）、１１  第１端子、１１ａ  基板接続部、１１ｂ  固定部、１１ｃ  接続部、１１ｄ  上端、２０  第１ハウジング、２０ａ  下面、２１  第１壁部、２１ｃ  凹部、２２  第２壁部、２２ａ  ガイド壁部、２２ｂ  係止穴、２２ｄ  凸部、２３  中央突起、３０  スライダー、３１  平板部、３１ａ  縁、３２  操作部、３２ａ  支持部、３２ｂ  下端、３３  第１被係合部、３３ａ，３３ｂ、  ３４  第２被係合部、３４ａ  縁、３５  ロック部、３６  被係止部、４０  第１固定金具、４０Ｓ  金具側部、４１  天板部、４２  係合部、４２ａ  凹部、４２ｄ，４２ｅ  固定部、４３  フック、４３ａ  端部、４３ｂ  基部、４３ｃ  延伸部、４５ａ  端子部、４５ｂ  ガイド部、４５ｃ  被保持部、４５ｄ  アーム部、６０  プラグコネクタ（第２コネクタ）、６１  第２端子、６１ａ  基板接続部、６１ｂ  接続部、６２  第３端子、６２ａ  基板接続部、６２ｂ  接続部、７０  第２ハウジング、７０ａ  下面、７２ａ  凹部、８０  第２固定金具、８１  天板部、８１ａ  張り出し部、８２  壁部、８２ａ  固定部、８３  係合部、８３ａ  爪、Ｅ１  凹部、Ｅ２  凹部、Ｓ１  空間。
【図１Ａ】
2018181820.tif 000003
【図１Ｂ】
2018181820.tif 000004
【図１Ｃ】
2018181820.tif 000005
【図１Ｄ】
2018181820.tif 000006
【図１Ｅ】
2018181820.tif 000007
【図２Ａ】
2018181820.tif 000008
【図２Ｂ】
2018181820.tif 000009
【図３Ａ】
2018181820.tif 000010
【図３Ｂ】
2018181820.tif 000011
【図４】
2018181820.tif 000012
【図５Ａ】
2018181820.tif 000013
【図５Ｂ】
2018181820.tif 000014
【図６Ａ】
2018181820.tif 000015
【図６Ｂ】
2018181820.tif 000016
【図６Ｃ】
2018181820.tif 000017
【図７Ａ】
2018181820.tif 000018
【図７Ｂ】
2018181820.tif 000019
【図７Ｃ】
2018181820.tif 000020